【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
鼻の鼻通路の外側壁組織が呼吸の間に引っ張り込まれることを防止するための鼻拡張器であって、
可撓性トラス部材であって、第１及び第２の端部領域と中間区分とを形成する可撓性材料ストリップを備え、該第１の端部領域が該可撓性材料ストリップの第１の側部で第１の鼻通路の前記外側壁組織と係合するようになり、前記第２の端部領域が該可撓性材料ストリップの第１の側部で第２の鼻通路の前記外側壁組織と係合するようになり、前記中間区分は、前記第１及び第２の鼻通路の間に位置する使用者の鼻の一部と交差するように構成され、撓まされたときその初期状態へと戻ろうとする前記トラス部材の傾向は、前記外側壁組織を安定化させ、これにより、呼吸の間に前記第１及び第２の鼻通路の前記外側壁組織が引っ張り込まれることを防止するように機能する、前記可撓性トラス部材と、
少なくとも部分的に弾性変形することができる弾性要素であって、前記トラス部材を前記第１及び第２の鼻通路の前記外側壁組織に従わせることを可能にすると共に、前記トラス部材に、撓まされたときにその初期状態に戻ろうとする前記傾向を提供する、前記弾性要素と、
を備え、
前記鼻拡張器は、高い剥離角度を有する、鼻拡張器。
【請求項２】
接着物質を更に備え、該接着物質は、前記弾性要素が少なくとも部分的に弾性変形することができるように、前記可撓性材料ストリップの前記第１の側部にその前記第１及び第２の端部領域に配置され、前記接着物質は、前記第１及び第２の鼻通路の前記外側壁組織に前記トラス部材を解放可能に固定する、請求項１に記載の鼻拡張器。
【請求項３】
前記可撓性材料ストリップは、織物片から形成される、請求項１に記載の鼻拡張器。
【請求項４】
前記弾性要素は、フィラメントを備える、請求項１に記載の鼻拡張器。
【請求項５】
前記弾性要素は、柱状フィラメントを備える、請求項１に記載の鼻拡張器。
【請求項６】
前記弾性要素は、複数のフィラメントを備える、請求項１に記載の鼻拡張器。
【請求項７】
前記複数のフィラメントは、分離されて並列に並んだ態様で提供されるフィラメントを含む、請求項６に記載の鼻拡張器。
【請求項８】
前記複数のフィラメントは、前記鼻拡張器の全長より実質的に短いフィラメントを含む、請求項６に記載の鼻拡張器。
【請求項９】
前記複数のフィラメントは、重なり合った関係で提供されるフィラメントを含む、請求項８に記載の鼻拡張器。
【請求項１０】
前記複数のフィラメントは、５乃至１０個の個別フィラメントを含む、請求項６に記載の鼻拡張器。
【請求項１１】
前記複数のフィラメントは、少なくとも１０個の個別フィラメントを含む、請求項６に記載の鼻拡張器。
【請求項１２】
使用者の鼻通路の外側壁組織が呼吸の間に引っ張り込まれることを防止するための鼻拡張器であって、
撓みが無い初期状態を有する可撓性トラス部材を備え、
前記トラス部材は、
第１の鼻通路の外側壁組織と接着係合するように接着剤を有する端部領域表面を備えた第１の端部領域と、
第２の鼻通路の外側壁組織と接着係合するように接着剤を有する端部領域表面を備えた第２の端部領域と、
前記第１及び第２の鼻通路の間に位置する使用者の鼻の一部分を横断するように構成された中間区分と、
前記第１及び第２の端部領域並びに前記中間区分の少なくとも一部分にフィラメントを有する弾性要素であって、該弾性要素は、前記第１及び第２の端部領域を互いに向かって押しやった後に少なくとも部分的に互いから分離させようとする弾性変形が可能であり、撓まされたとき前記トラス部材にその初期状態に戻る傾向を与え、これにより、係合されたとき前記外側壁組織を安定化させ、その結果、前記第１及び第２の鼻通路の前記外側壁組織が呼吸の間に引っ張り込められることを防止するように機能する、前記弾性要素と、
を備える、鼻拡張器。
【請求項１３】
接着物質を更に備え、該接着物質は、前記弾性要素が少なくとも部分的に弾性変形することができるように、前記可撓性材料ストリップの前記第１の側部にその前記第１及び第２の端部領域に配置され、前記接着物質は、前記第１及び第２の鼻通路の前記外側壁組織に前記トラス部材を解放可能に固定する、請求項１２に記載の鼻拡張器。
【請求項１４】
前記弾性要素は、複数のフィラメントを備える、請求項１２に記載の鼻拡張器。
【請求項１５】
前記弾性要素は、柱状フィラメントを備える、請求項１２に記載の鼻拡張器。
【請求項１６】
前記フィラメントは、前記鼻拡張器の実質的に全長に亘って延在する、請求項１２に記載の鼻拡張器。
【請求項１７】
前記複数のフィラメントは、前記鼻拡張器の全長よりも実質的に短いフィラメントを含む、請求項１４に記載の鼻拡張器。
【請求項１８】
前記複数のフィラメントは、重なり合った関係で提供されるフィラメントを含む、請求項１７に記載の鼻拡張器。
【請求項１９】
前記複数のフィラメントは、５乃至１０個の個別フィラメントを含む、請求項１４に記載の鼻拡張器。
【請求項２０】
前記複数のフィラメントは、少なくとも１０個の個別フィラメントを含む、請求項１４に記載の鼻拡張器。
【請求項２１】
鼻拡張器を使用する方法であって、
第１及び第２の端部領域並びに中間区分の少なくとも一部分において複数のフィラメントにより形成された弾性要素を有する鼻拡張器を提供する工程であって、該弾性要素は、前記第１及び第２の端部領域を互いに向かって押しやった後に少なくとも部分的に互いから分離させようとする弾性変形が可能であり、撓まされたとき前記トラス部材にその初期状態に戻る傾向を与え、これにより、係合されたとき前記外側壁組織を安定化させ、その結果、前記第１及び第２の鼻通路の前記外側壁組織が呼吸の間に引っ張り込められることを防止するように機能する、前記工程と、
前記鼻拡張器を鼻皮膚表面に適用する工程と、
所定の期間の間に前記鼻拡張器を使用する工程と、
前記鼻拡張器を該鼻拡張器の長さ方向軸に実質的に垂直な方向に剥ぎ取ることにより前記鼻皮膚表面から該鼻拡張器を取り外す工程と、
を備える、方法。
【請求項２２】
高い剥離角度を使用して取り外すことができる鼻拡張器を使用する方法であって、
前記鼻拡張器を通常平坦な平面形状へと偏倚させる複数の弾性フィラメントを有する鼻拡張器を形成する工程と、
前記鼻拡張器を使用者に適用する工程と、
前記鼻拡張器を、高い剥離角度を利用して該鼻拡張器の長さ方向軸に実質的に垂直な方向に剥ぎ取ることにより前記鼻拡張器を取り外す工程と、
を備える、方法。
【請求項２３】
前記高い剥離角度は、約１５０°以上である、請求項２２に記載の鼻拡張器を使用する方法。
【請求項２４】
前記高い剥離角度は、約１２０°以上である、請求項２２に記載の鼻拡張器を使用する方法。
【請求項２５】
鼻の鼻通路の外側壁組織が呼吸の間に引っ張り込まれることを防止するための鼻拡張器であって、
可撓性トラス部材であって、第１及び第２の端部領域と中間区分とを形成する可撓性材料ストリップを備え、該第１の端部領域が該可撓性材料ストリップの第１の側部で第１の鼻通路の前記外側壁組織と係合するようになり、前記第２の端部領域が該可撓性材料ストリップの第１の側部で第２の鼻通路の前記外側壁組織と係合するようになり、前記中間区分は、前記第１及び第２の鼻通路の間に位置する使用者の鼻の一部と交差するように構成され、撓まされたときその初期状態へと戻ろうとする前記トラス部材の傾向は、前記外側壁組織を安定化させ、これにより、呼吸の間に前記第１及び第２の鼻通路の前記外側壁組織が引っ張り込まれることを防止するように機能する、前記可撓性トラス部材と、
複数のフィラメントを備え且つ少なくとも部分的に弾性変形することができる弾性要素であって、前記トラス部材を前記第１及び第２の鼻通路の前記外側壁組織に従わせることを可能にすると共に、前記トラス部材に、撓まされたときにその初期状態に戻ろうとする前記傾向を提供する、前記弾性要素と、
を備え、
前記フィラメントは、分離されて並列に並んだ態様で提供され、該フィラメントの大部分は前記可撓性材料ストリップの長さ方向軸に実質的に平行に向き付けられ、
前記フィラメントは前記鼻拡張器の実質的に全長に亘って延在し、
前記鼻拡張器は、高い剥離角度を有する、鼻拡張器。
【請求項２６】
前記フィラメントは前記鼻拡張器の実質的に全長に亘って延在する、請求項４に記載の鼻拡張器。
【請求項２７】
前記高い剥離角度は、約１２０°以上である、請求項１に記載の鼻拡張器。
【請求項２８】
前記高い剥離角度は、約１５０°以上である、請求項１に記載の鼻拡張器。
【請求項２９】
前記高い剥離角度は、約１２０°以上である、請求項６に記載の鼻拡張器。
【請求項３０】
前記高い剥離角度は、約１５０°以上である、請求項６に記載の鼻拡張器。
【請求項３１】
前記フィラメントの大部分は前記可撓性材料ストリップの長さ方向軸に実質的に平行に向き付けられている、請求項６に記載の鼻拡張器。
【請求項３２】
前記複数のフィラメントは、分離されて並列に並んだ態様で提供されたフィラメントを含む、請求項１４に記載の鼻拡張器。
【請求項３３】
前記高い剥離角度は、約１２０°以上である、請求項１２に記載の鼻拡張器。
【請求項３４】
前記高い剥離角度は、約１５０°以上である、請求項１２に記載の鼻拡張器。
【請求項３５】
前記高い剥離角度は、約１２０°以上である、請求項１４に記載の鼻拡張器。
【請求項３６】
前記高い剥離角度は、約１５０°以上である、請求項１４に記載の鼻拡張器。
【請求項３７】
前記フィラメントの大部分は前記可撓性材料ストリップの長さ方向軸に実質的に平行に向き付けられている、請求項１４に記載の鼻拡張器。